(57)【要約】【課題】遠隔地若しくは異なる時間帯における被測定媒体と同様の温度を、温度調整媒体にて適切に再現することを可能とした温度再現方法及びシステムを提供する。【解決手段】温度が可変である温度調整媒体１２の温度を制御するシステムであって、被測定媒体１の温度を経時的に測定する温度センサ２と、該測定された経時温度データを記憶させる記憶装置６と、該温度調整媒体１２に対して遠隔地或いは異なる時間帯に存在する前記温度調整媒体１２の温度を制御する温度制御装置１１と、を備え、前記温度制御装置１１は、前記記憶装置６からの経時温度データを取り込み、該経時温度データに基づいて前記温度調整媒体１２の温度を制御する構成とし、前記被測定媒体１の温度履歴を前記温度調整媒体１２にて再現する。【選択図】図１
2009069906.tif 000002
【特許請求の範囲】
【請求項１】
温度が可変である温度調整媒体の温度を制御する方法であって、
被測定媒体の温度を経時的に測定し、該測定した経時温度データを記憶装置に記憶させ、前記被測定媒体に対して遠隔地或いは異なる時間帯に存在する前記温度調整媒体を、該温度調整媒体の温度を制御する温度制御装置にて前記記憶装置からの経時温度データに基づいて温度制御し、前記被測定媒体の温度履歴を前記温度調整媒体にて再現することを特徴とする温度再現方法。
【請求項２】
温度が可変である温度調整媒体の温度を制御する方法であって、
被測定媒体の温度を経時的に測定し、該測定した経時温度データを被測定媒体側通信端末の記憶装置に記憶させ、該通信端末とインターネット等のネットワークを介して接続される温度調整媒体側通信端末により前記経時温度データを受信し、前記被測定媒体に対して遠隔地或いは異なる時間帯に存在する前記温度調整媒体を、該温度調整媒体の温度を制御する温度制御装置にて前記温度調整媒体側通信端末からの経時温度データに基づいて温度制御し、前記被測定媒体の温度履歴を前記温度調整媒体にて再現することを特徴とする温度再現方法。
【請求項３】
温度が可変である温度調整媒体の温度を制御するシステムであって、
被測定媒体の温度を経時的に測定する温度センサと、該測定された経時温度データを記憶させる記憶装置と、該温度調整媒体に対して遠隔地或いは異なる時間帯に存在する前記温度調整媒体の温度を制御する温度制御装置とを備え、
前記温度制御装置は、前記記憶装置からの経時温度データを取り込み、該経時温度データに基づいて前記温度調整媒体の温度を制御する構成であることを特徴とする温度再現システム。
【請求項４】
温度が可変である温度調整媒体の温度を制御するシステムであって、
被測定媒体の温度を経時的に測定する温度センサと、該測定された経時温度データを記憶させる記憶装置を備えた被測定媒体側通信端末と、該被測定媒体側通信端末とインターネット等のネットワークを介して接続された温度調整媒体側通信端末と、前記温度調整媒体に対して遠隔地或いは異なる時間帯に存在する前記温度調整媒体の温度を制御する温度制御装置と、を備え、
前記温度制御装置は、前記被測定媒体側通信端末からの経時温度データを取り込み、該経時温度データに基づいて前記温度調整媒体の温度を制御する構成であることを特徴とする温度再現システム。
【請求項５】
前記温度調整媒体が建物或いは車両内の室内空間で、前記温度制御装置が空気調和装置であり、前記被測定媒体である他の建物或いは車両内の室内空間、若しくは室外空間の温度及び湿度を経時的に測定し、該測定した経時温度データ及び経時湿度データに基づいて前記空気調和装置により前記室内空間の温湿度制御を行うことを特徴とする請求項３若しくは４記載の温度再現システム。
【請求項６】
前記温度調整媒体が建設車両のハンドルノブ或いはシート等の搭乗者が接する部位で、前記温度制御装置がヒータであり、前記被測定媒体である人体の体温を経時的に測定し、該測定した経時温度データに基づいて前記ヒータにより前記部位の温度制御を行うことを特徴とする請求項３若しくは４記載の温度再現システム。
【発明の詳細な説明】
【技術分野】
【０００１】
本発明は、温度が可変である温度調整媒体の温度制御において、遠隔地或いは異なる時間帯における被測定媒体と同様の温度を適切に再現するようにした温度再現方法及びシステムに関する。
【背景技術】
【０００２】
一般に、温度が可変である温度調整媒体において、必要に応じてこれを適切な温度に制御することは種々の分野にて行われていた。例えば、ビルや工場のような建物、或いは各種車両内では空間ごとに室温の制御が行われている。また、飲食物の加熱装置においては、例えばお酒をお燗する場合や赤ちゃん用ミルクを温める場合など、微妙な温度設定が必要とされる。さらに、熱帯魚等の観賞魚を飼育する水槽、ペットを飼育する空間においてもその生き物に適した温度に制御することが必要とされている。さらにまた近年では、玩具や各種機械、ロボットなどにおいても温度調整が行われる場合がある。
【０００３】
従来は、このような温度調整を行う場合、予め設定された温度に基づいて温度調整が行われていた。
例えば、特許文献１（特開２００４−１０２５４０号公報）には、制御対象に対して最適な温度制御を行い得る温度制御システムが開示されている。これは、複数の制御対象ごとの目標温度を設定するＣＰＵと、該制御対象に対して加熱及び冷却のうち少なくとも一方を行う温度可変手段と、制御対象の温度を検知する温度センサと、制御回路と、目標温度を制御回路に出力する目標温度出力手段とを備えており、各制御回路にＣＰＵで設定された目標温度を目標値として温度センサからの信号に基づいて温度可変手段を操作させ、制御対象の温度調整を行うようになっている。
【０００４】
【特許文献１】特開２００４−１０２５４０号公報
【発明の開示】
【発明が解決しようとする課題】
【０００５】
しかしながら、従来の温度制御システムでは、温度設定が煩雑であり、また温度変更する際には毎度設定し直さなければならず手間がかかった。また、例えばペットを飼育する際に、遠隔地に生存する生き物の場合、その生育環境における温度等の状況がわからず環境設定が困難であるなど、従来は遠隔地或いは異なる時間帯の温度状況を適切に再現する方法は存在しなかった。
従って、本発明は上記従来技術の問題点に鑑み、遠隔地若しくは異なる時間帯における被測定媒体と同様の温度を、温度調整媒体にて適切に再現することを可能とした温度再現方法及びシステムを提供することを目的とする。
【課題を解決するための手段】
【０００６】
そこで、本発明はかかる課題を解決するために、温度が可変である温度調整媒体の温度を制御する方法であって、
被測定媒体の温度を経時的に測定し、該測定した経時温度データを記憶装置に記憶させ、前記被測定媒体に対して遠隔地或いは異なる時間帯に存在する前記温度調整媒体を、該温度調整媒体の温度を制御する温度制御装置にて前記記憶装置からの経時温度データに基づいて温度制御することを特徴とする。
本発明によれば、遠隔地或いは異なる時間帯における被測定媒体の温度を、温度調整媒体にて適切に再現することが可能となる。
【０００７】
また、温度が可変である温度調整媒体の温度を制御する方法であって、
被測定媒体の温度を経時的に測定し、該測定した経時温度データを被測定媒体側通信端末の記憶装置に記憶させ、該通信端末とインターネット等のネットワークを介して接続される温度調整媒体側通信端末により前記経時温度データを受信し、前記被測定媒体に対して遠隔地或いは異なる時間帯に存在する前記温度調整媒体を、該温度調整媒体の温度を制御する温度制御装置にて前記温度調整媒体側通信端末からの経時温度データに基づいて温度制御することを特徴とする。
本発明によれば、ネットワークを用いることにより温度データを遠隔地に容易に送ることが可能となり、遠隔地の気候を室内空間に再現するなど簡単に温度の再現が行えるようになる。
【０００８】
また、温度が可変である温度調整媒体の温度を制御するシステムであって、
被測定媒体の温度を経時的に測定する温度センサと、該測定された経時温度データを記憶させる記憶装置と、該温度調整媒体に対して遠隔地或いは異なる時間帯に存在する前記温度調整媒体の温度を制御する温度制御装置と、を備え前記温度制御装置は、前記記憶装置からの経時温度データを取り込み、該経時温度データに基づいて前記温度調整媒体の温度を制御する構成であることを特徴とする。
【０００９】
また、温度が可変である温度調整媒体の温度を制御するシステムであって、
被測定媒体の温度を経時的に測定する温度センサと、該測定された経時温度データを記憶させる記憶装置を備えた被測定媒体側通信端末と、該被測定媒体側通信端末とインターネット等のネットワークを介して接続された温度調整媒体側通信端末と、前記温度調整媒体に対して遠隔地或いは異なる時間帯に存在する前記温度調整媒体の温度を制御する温度制御装置と、を備え前記温度制御装置は、前記被測定媒体側通信端末からの経時温度データを受信し、該経時温度データに基づいて前記温度調整媒体の温度を制御する構成であることを特徴とする。
【００１０】
さらに、前記温度調整媒体が建物或いは車両内の室内空間で、前記温度制御装置が空気調和装置であり、前記被測定媒体である他の建物或いは車両内の室内空間、若しくは室外空間の温度及び湿度を経時的に測定し、該測定した経時温度データ及び経時湿度データに基づいて前記空気調和装置により前記室内空間の温湿度制御を行うことを特徴とする。
さらにまた、前記温度調整媒体が建設車両のハンドルノブ或いはシート等の搭乗者が接する部位で、前記温度制御装置がヒータであり、前記被測定媒体である人体の体温を経時的に測定し、該測定した経時温度データに基づいて前記ヒータにより前記部位の温度制御を行うことを特徴とする。
【発明の効果】
【００１１】
以上記載のごとく本発明によれば、遠隔地或いは異なる時間帯における被測定媒体の温度を、温度調整媒体にて適切に再現することが可能となる。また、ネットワークを用いることにより温度データを遠隔地に容易に送ることが可能となり、簡単に温度の再現が行えるようになる。
【発明を実施するための最良の形態】
【００１２】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
図１は本発明の実施例１に係る温度再現システムの全体構成図、図２は本発明の実施例２に係る温度再現システムの全体構成図、図３は本発明の実施例２に係る温度再現方法の一実施例を示すフローである。
【実施例１】
【００１３】
図１を参照して、本実施例１のシステムにつき説明する。本システムは被測定側の装置として、被測定媒体１と、該被測定媒体１の温度を測定する温度センサ２と、同様に湿度を測定する湿度センサ３と、該温度センサ２及び湿度センサ３からの温度、湿度データをＡ／Ｄ変換するＡ／Ｄ変換装置４と、該Ａ／Ｄ変換した温度データ、湿度データを取り込むＣＰＵ５と、これらのデータを記憶する記憶装置６とを備える。温度調整側の装置として、温度制御装置１１と、温度調整媒体１２と、温度センサ１３と、湿度センサ１４とを備える。
【００１４】
前記被測定媒体１は、経時的に温度が変化する媒体であり、温度調整媒体１２にて再現する温度を測定する対象である。
前記温度センサ２は、前記被測定媒体１の温度を逐次測定するセンサである。また、同様に前記湿度センサ３は、前記被測定媒体１の温度を逐次測定するセンサであるが、該湿度センサ３は設置しない構成であってもよい。
前記Ａ／Ｄ変換装置４は、測定温度等のアナログ値をデジタル値に変換する周知の装置である。
前記ＣＰＵ５は、不図示のＲＯＭから制御演算式を読み出し、Ａ／Ｄ変換した温度データを記憶装置６に保持する機能を有している。
前記記憶装置６は、ＲＡＭ、ＲＯＭ、ＳＤカード、メモリカード、フロッピー（登録商標）ディスク、ＭＯ、ＣＤ−Ｒ等が挙げられる。本実施例では持ち運び可能な外部記憶装置が好適に用いられる。
【００１５】
本実施例では、該被測定媒体１の温度の経時変化を前記温度センサ２にて測定し、該測定した温度データをＡ／Ｄ変換装置４を介してＣＰＵ５に取り込み、該温度データを記憶装置６に記憶させる。尚、必要に応じて湿度データ等の他の環境データも同様に記憶することが好ましい。
このとき、この温度データに、該データを識別する識別データを付与して同時に記憶させるとよい。これは、例えば被測定媒体１を識別する情報、或いは測定時の日時等の情報である。この識別データに基づいて、温度調整媒体１２では再現したい温度データを選択することが可能となる。
【００１６】
前記温度調整媒体１２は、温度が可変で、被測定媒体１の温度を再現する対象であり、例えば建物内や車内の空間、車両のハンドルノブ或いはシート、家庭用ロボット等が挙げられる。
前記温度制御装置１１は、前記記憶装置６にて記憶された温度データ等のデータを取り込み、該データに基づいて温度調整媒体１２の温度をコントロールする装置であり、例えば空気調和装置、ヒータ等が挙げられる。
前記温度センサ１３、前記湿度センサ１５は、温度調整媒体１２の温度、湿度を測定し、該温度及び湿度を温度制御装置１１にフィードバックさせ、温度制御を適正に行うために設けられる。
【００１７】
本実施例では、前記記憶装置６に記憶された温度データを前記温度制御装置１１に取り込み、該温度データに基づいて温度制御装置１１にて温度調整媒体１２の温度を制御する構成となっている。これにより、遠隔地若しくは異なる時間帯においても、被測定媒体１の温度を温度調整媒体１２に適切に再現することが可能となる。また、本実施例では経時温度データに基づいて温度調整媒体１２の温度制御を行う構成であるため、温度の設定を度々行う必要がなく手間が省ける。
【００１８】
温度調整媒体１２が建物又は車両内の室内空間である場合、遠隔地又は異なる時間帯における被測定媒体１の空間の温度を温度センサ２にて経時的に測定し、該経時温度データを記憶装置６に記憶させ、該記憶装置６の温度データを、再現したい室内空間の空気調和装置（温度制御装置１１）に取り込み、この温度データに基づいて空気調和装置を制御することによって、前記室内空間を遠隔地又は異なる時間帯の空間と同様の温度に調整することが可能となる。例えば、家族と過ごした部屋の室温を記憶させ、単身赴任者が赴任地で再現する場合などに利用できる。
【００１９】
また、温度調整媒体が家庭用ロボットである場合、ロボットの手に温度制御装置１１としてヒータを組み込み、被測定媒体として友人、家族等の体温を記憶させておき、該記憶させた温度データに基づいてロボットのヒータを制御することにより、友人、家族等の体温を再現することが可能となる。また、祖父母、両親等の体温を記憶させておき、年月が経過してからこの温度データをロボットの手に再現させることも可能である。
【００２０】
さらに、フォークリフト等の建設機械にて、ハンドルノブやシート等の作業員が接触する部位に温度制御装置１１としてヒータを内蔵しておき、記憶装置６に友人、家族等の体温を記憶させ、該温度データに基づいて前記ヒータを制御することも可能である。
【実施例２】
【００２１】
図２を参照して、本実施例２のシステムにつき説明する。尚、本実施例２にて、前記実施例１と同様の構成についてはその詳細な説明を省略する。
被測定側の装置として、被測定媒体１と、該被測定媒体１の温度を測定する温度センサ２と、同様に湿度を測定する湿度センサ３と、該温度センサ２及び湿度センサ３からの温度、湿度データをＡ／Ｄ変換するＡ／Ｄ変換装置４と、被測定媒体側通信端末８とを備える。該被測定媒体側通信端末８は、前記Ａ／Ｄ変換した温度データ、湿度データを取り込むＣＰＵ５と、これらのデータを記憶する記憶装置６と、インターネット等のネットワーク２０に接続してデータを授受する機能を有する通信装置７とを備える。温度調整側の装置として、温度調整媒体側通信端末１５と、温度制御装置１１と、温度調整媒体１２と、温度センサ１３と、湿度センサ１４とを備える。
【００２２】
本実施例２では、被測定媒体１にて測定した経時温度データ（必要に応じて湿度データを含む）を記憶装置６に一時的に記憶させた後、該通信装置７を介して温度調整媒体側通信端末１５に温度データを送信する。
このとき、温度データにこれを識別する識別データを付与しておき、該識別データに基づいて温度調整媒体側通信端末１５から所望の温度データを要求し、該要求に応じて前記記憶装置６に蓄積された温度データを通信端末１５へ送信することが好ましい。
温度調整媒体通信端末１５では、受信した温度データに基づいて温度調整装置１１にて温度調整媒体１２の温度を制御する。
【００２３】
図３に、本実施例２の一例として空気調和装置にて温度再現を行うフローにつき示す。
まず、被測定空間に設置された温度センサにより空間温度を所定時間測定し（Ｓ１）、該測定した温度の経時変化を示す温度データ（必要に応じて湿度データ）を、被測定空間の場所、日時等の識別データとともに記憶装置に記憶する（Ｓ２）。次いで、温度調整空間側の通信端末にて、ネットワークを介して被測定空間側の通信端末へ所望の温度データを要求する（Ｓ３）。被測定空間側の通信端末は、前記要求に応じて、識別データに基づいて対応する温度データをネットワークを介して温度調整空間側の通信端末に送信する（Ｓ４）。該温度調整空間側の通信端末では、受信した温度データを空気調和装置に送り、該空気調和装置は該温度データに基づいて制御され、温度調整空間に温度データと同様の温度を再現する（Ｓ５）。
本実施例によれば、ネットワークを用いることにより温度データを遠隔地に容易に送ることが可能となり、遠隔地の気候を室内空間に再現するなど簡単に温度の再現が行えるようになる。
【図面の簡単な説明】
【００２４】
【図１】本発明の実施例１に係る温度再現システムの全体構成図である。
【図２】本発明の実施例２に係る温度再現システムの全体構成図である。
【図３】本発明の実施例２に係る温度再現方法の一実施例を示すフローである。
【符号の説明】
【００２５】
１        被測定媒体
２        温度センサ
３        湿度センサ
５        ＣＰＵ
６        記憶装置
７        通信装置
８、１５  通信端末
１１      温度制御装置
１２      温度調整媒体
２０      ネットワーク
【図１】
2009069906.tif 000003
【図２】
2009069906.tif 000004
【図３】
2009069906.tif 000005